(57)【要約】      （修正有）【課題】簡単に検査可能な排水装置を提供する。【解決手段】一つの基板１１、一つの排水ケース２１、一つのハウジング３１、一つの微動スイッチ及び一つの浮筒アセンブリを備え、排水ケースは、基板の下に、ハウジングは基板の上にそれぞれ設けられており、一つの検査手段の作動に用いられる検査穴３３が設けられている。検査手段はハウジングの外側から検査穴を通してハウジングの内側に向いて検査作動を行う。微動スイッチは、ハウジング内に位置し、浮筒アセンブリは、一つの連動構造及び一つの浮筒を有し、連動構造が基板に設けられている。連動構造の一部は排水ケース内に位置し、連動構造の別の一部はハウジング内に設けられており、浮筒が排水ケース内の連動構造に設けられており、ハウジング内に位置する連動構造が一つのタッチ部を有し、タッチ部が連動構造の全体の揺動にしたがって微動スイッチを作動させる、または、作動させない。【選択図】図１
0003209623.tif 000002
【実用新案登録請求の範囲】
【請求項１】
一つの基板、一つの排水ケース、一つのハウジング、一つの微動スイッチ及び一つの浮筒アセンブリを備え、
前記排水ケースは、前記基板に設けられており、前記基板の下に位置しており、
前記ハウジングは、前記基板に設けられており、前記基板の上に位置しており、一つの検査穴が形成されており、前記検査穴が一つの検査手段の作動に用いられ、前記検査手段が前記ハウジングの外側から前記検査穴を通して前記ハウジングの内側に向いて検査作動を行い、
前記微動スイッチは、前記基板に設けられており、前記ハウジング内に位置し、
前記浮筒アセンブリは、一つの連動構造及び一つの浮筒を有し、前記連動構造が移動可能に前記基板に設けられており、前記連動構造の一部が前記排水ケース内に位置しており、前記連動構造の別の一部が前記ハウジング内に設けられており、前記浮筒が前記排水ケース内の前記連動構造に設けられており、前記ハウジング内に位置する前記連動構造が一つのタッチ部を有し、前記タッチ部が前記連動構造の全体の揺動にしたがって前記微動スイッチを作動させる、または、作動させないことを特徴とする排水装置。
【請求項２】
前記ハウジング内の前記連動構造は、一つのレバーを有し、
前記レバーは、一端が前記検査穴を通過し前記ハウジングの外側まで延伸し、前記検査手段に合わせて使用されることを特徴とする請求項１に記載の排水装置。
【請求項３】
前記検査穴は、縦長く形成されており、前記ハウジング内の前記連動構造に対応していることを特徴とする請求項２に記載の排水装置。
【請求項４】
前記ハウジングには、一つの凹溝が形成されており、
前記検査穴は、前記凹溝の溝壁に位置しており、
前記レバーは、一端が前記凹溝内に位置し前記凹溝の外側の前記ハウジングの表面まで突出しないことを特徴とする請求項２に記載の排水装置。
【請求項５】
前記検査穴と前記ハウジング内の前記連動構造の間には一つの所定空間を有し、
前記所定空間は、前記検査手段に合わせて使用されることを特徴とする請求項１に記載の排水装置。
【請求項６】
一つの防塵蓋をさらに有し、
前記防塵蓋は、移動可能に前記ハウジングに設けられており、前記検査穴の解放状態、または、密封状態を保持することを特徴とする請求項５に記載の排水装置。
【考案の詳細な説明】
【技術分野】
【０００１】
本考案は、排水装置に関し、特に、簡単に検査可能である排水装置に関する。
【背景技術】
【０００２】
本発明の出願人が出願した中華民国第Ｍ３０８３８２号の特許では、空調装置に用いられている自動排水装置の浮筒及びダブルスイッチで作動する組み合わせが開示されている。現在の空調システムによく使われている自動排水装置は、一つの浮筒及び二つのスイッチを含む。浮筒は一つの連結アームを有する。連結アームは、回転可能に空調装置に用いられている排水装置に連結されており、浮筒が水位にしたがって昇降することを利用し、各スイッチを段階的に作動させ、空調装置に用いられている排水装置の一つのモーターを制御し、水を流すまたは水を止めることができる。
【０００３】
しかし、排水装置は長期間の使用によりスイッチの故障が頻発する。従来は、故障の原因がスイッチであるか否かを確認するために、排水装置の排水ケースまたは排水装置の上蓋を取り外し、下側の浮筒または上側のスイッチを指で動かし、スイッチが壊れているかどうかを判断していた。また、取り外す作業者は熟練者である必要もあったし、取り外す過程で時間を浪費していた。また、上蓋を取り外すとき、作業者が感電する恐れもあった。そこで、上述の従来技術の不足をまとめ、本出願人は、従来技術に改良を加え、利便性を向上させた
【考案の概要】
【考案が解決しようとする課題】
【０００４】
本考案の主な目的は、簡単に検査可能な排水装置を提供することにある。この排水装置によると、排水ケースまたは排水装置の上蓋を取り外す必要がなくスイッチの検査を行うことができる。そのため簡単に検査できるだけでなく、安全性も高い。
【課題を解決するための手段】
【０００５】
上述の目的を達成するために、本考案の簡単に検査可能な排水装置は、一つの基板、一つの排水ケース、一つのハウジング、一つの微動スイッチ、及び、一つの浮筒アセンブリを備える。排水ケースは、基板に設けられており、基板の下に位置しており、ハウジングは、基板に設けられており、基板の上に位置しており、一つの検査穴が形成されており、検査穴が一つの検査手段の作動に用いられ、検査手段が前記ハウジングの外側から検査穴を通してハウジングの内側に向いて検査作動を行い、微動スイッチは、基板に設けられており、ハウジング内に位置し、浮筒アセンブリは、一つの連動構造及び一つの浮筒を有し、連動構造が移動可能に基板に設けられており、連動構造の一部が排水ケース内に位置しており、連動構造の別の一部がハウジング内に設けられており、浮筒が排水ケース内の連動構造に設けられており、また、ハウジング内に位置する連動構造が一つのタッチ部を有し、タッチ部が連動構造の全体の揺動にしたがって微動スイッチを作動させるまたは作動させない。
【０００６】
これにより、検査穴と検査手段を組み合わせることで、排水ケースまたは排水装置の上蓋を取り外す必要がなくスイッチの検査を行うことができ、検査が簡単となるほか、検査時の安全性が高まる。
【図面の簡単な説明】
【０００７】
【図１】本考案の第一実施例の斜視図である。
【図２】本考案の第一実施例の要部分解図である。
【図３】本考案の第一実施例の一部を示す側面図である。
【図４】本考案の第一実施例の作動を示す模式図である。
【図５】本考案の第二実施例の斜視図である。
【図６】本考案の第二実施例の要部分解図である。
【図７】本考案の第二実施例の作動を示す模式図である。
【考案を実施するための形態】
【０００８】
本考案の技術特徴を説明するために、以下実施例を図面に合わせて説明する。
【０００９】
図１から３に示すように、本考案の第一実施例による簡単に検査可能である排水装置１０は、一つの基板１１、一つの排水ケース２１、一つのハウジング３１、一つの微動スイッチ４１、及び、一つの浮筒アセンブリ５１からなる。
【００１０】
排水ケース２１は、基板１１に設けられており、基板１１の下に位置している。
【００１１】
ハウジング３１は、基板１１に設けられており、基板１１の上に位置している。ハウジング３１は一つの検査穴３３が形成されている。検査穴３３は一つの検査手段の作動に用いられ、検査手段はハウジング３１の外側から検査穴３３を通してハウジング３１の内側に向いて検査作動を行う。
【００１２】
微動スイッチ４１は、基板１１に設けられており、ハウジング３１内に位置する。
【００１３】
浮筒アセンブリ５１は、一つの連動構造５３及び一つの浮筒５５を有し、連動構造５３が移動可能に基板１１に設けられており、連動構造５３の一部が排水ケース２１内に位置しており、連動構造５３の別の一部がハウジング３１内に設けられており、浮筒５５が排水ケース２１内の連動構造５３に設けられており、また、ハウジング３１内に位置する連動構造５３が一つのタッチ部５７を有し、タッチ部５７が連動構造５３の全体の揺動にしたがって微動スイッチ４１を作動させるまたは作動させない。
【００１４】
本考案の目的は、微動スイッチ４１を検査する時間を短縮し、微動スイッチ４１を検査する時の安全性を高めることにある。よって、以下、連動構造５３、検査穴３３、検査手段に合わせて説明を行う。
【００１５】
第一実施例では、ハウジング３１の連動構造５３に一つのレバー５３１が設けられている。レバー５３１は、一端が検査穴３３を通過しハウジング３１の外側まで延伸し、検査手段に合わせて使用される。本実施形態では、前記検出手段は、検査者がハウジング３１の外部に露出しているレバー５３１を動かすことである。ハウジング３１には、一つの凹溝３７が形成されている。検査穴３３は、凹溝３７の溝壁に位置している。レバー５３１は、一端が凹溝３７内に位置し凹溝３７の外側のハウジング３１の表面まで突出しない。これにより、レバー５３１の誤作動を防止する。また、検査穴３３は、縦長く形成されており、レバー５３１が動かされた時の十分な揺動空間を確保し、ハウジング３１内の連動構造５３に対応している。
【００１６】
以上、第一実施例の排水装置１０の構造を説明した。続いて、第一実施例の排水装置１０の使用状態を説明する。
【００１７】
図１から４に示すように、本考案で微動スイッチ４１に対して検査を行う時、微動スイッチ４１の検査は、検査者がハウジング３１の外に露出しているレバー５３１を手で動かすことで行う。この時、図３、４に示すように、ハウジング３１内の連動構造５３は検査手段の駆動を受け、連動構造５３の全体を動かす。連動構造５３のタッチ部５７は微動スイッチ４１に向いて押し当て、一つのポンプ１００に対して作動開始の指令を伝える。ポンプ１００が正常に作動する時、検査者は微動スイッチ４１の機能が正常であるか否かを判定することができる。
【００１８】
これにより、本考案は、検査穴３３を利用してレバー５３１を動かすことで、本考案を分解することなく微動スイッチ４１に対して検査を行う。検査の便宜を図ることができるとともに、検査を行う時の安全性を高めることができる。
【００１９】
図５から７に示すように、本考案の第二実施例による簡単に検査可能である排水装置１０’は、第一実施例の排水装置１０と概ね同一である。異なるところは以下の通りである。
【００２０】
検査穴３３’とハウジング３１’内の連動構造５３’の間には一つの所定空間５９’を有し、所定空間５９’は、前記測定手段に合わせて使用される。前記検出手段は、所定空間５９’を利用しており、検査者がハウジング３１’の外側から検査穴３３’を通過し、かつ所定空間５９’を経由し、ハウジング３１’内に向いて微動スイッチ４１’の検査を行う。使用時において、検査者は、一つの動かし部材（図示せず）（例えば、ペンまたはドライバーなどの細長い部材）を操作し、検査穴３３’に入れて、所定空間５９’を通過させ、微動スイッチ４１’を直接に動かす。浮筒アセンブリ５１’の浮筒５５’及びタッチ部５７’を連動させる必要がなく、微動スイッチ４１’を検査する効果を達成する。
【００２１】
本実施例では、一つの防塵蓋６１’をさらに備える。防塵蓋６１は、スライド可能にハウジング３１’に設けられ、検査穴３３’の解放または密封を保持する。防塵蓋６１’を設置することで、第二実施例では、検査が必要である場合、防塵蓋６１’を上方向に引っ張ることで、検査穴３３’を開ける。検査が必要でない場合、防塵蓋６１’を下方向に押すことで、検査穴３３’を閉じ、埃がハウジング３１’内に入ることを防止する。防塵蓋６１’は、埃がハウジング３１’内に入ることを防止するために設置したため、埃が侵入する恐れがない環境で使用する場合、防塵蓋６１’を設置する必要がない。
【００２２】
第二実施例の排水装置１０’の他の部分の構造及び効果は第一実施例の排水装置１０と概ね同じであり、説明を割愛する。
【００２３】
上述の二つの実施例は、本考案の一つの態様を挙げたものであり、それぞれ一つの検査手段を例とする。しかし、検査を実施する時、上述の二つの実施例の各検査穴３３、３３’、各検査手段、各微動スイッチ４１、４１’、及び各浮筒アセンブリ５１、５１’を同時に実施することができる。よって、上述の二つの実施例は本考案を限定するものではない。
【符号の説明】
【００２４】
１０  排水装置
１１  基板
２１  排水ケース
３１  ハウジング
３３  検査穴
３７  凹溝
４１  微動スイッチ
５１  浮筒アセンブリ
５３  連動構造
５３１  レバー
５５  浮筒
５７  タッチ部
１００  ポンプ
１０’  排水装置
３１’  ハウジング
３３’  検査穴
４１’  微動スイッチ
５１’  浮筒アセンブリ
５３’  連動構造
５５’  浮筒
５７’  タッチ部
５９’  所定空間
６１’  防塵蓋
【図１】
0003209623.tif 000003
【図２】
0003209623.tif 000004
【図３】
0003209623.tif 000005
【図４】
0003209623.tif 000006
【図５】
0003209623.tif 000007
【図６】
0003209623.tif 000008
【図７】
0003209623.tif 000009